【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
画像を画面に表示する画像表示部と、指の接触位置を時間経過に応じて逐次出力するタッチパネルと、当該指により該タッチパネルに与えられた押圧力を検出する押圧力検出部とを備えており、当該指によるドラッグ操作によって画像全体をスクロールするユーザインタフェース装置であって、
当該指によるドラッグ操作が終了したか否かを判定する操作判定手段と、
前記操作判定手段が真の判定を行った際、ドラッグ操作以降における当該押圧力の最大値に応じて、ドラッグ操作後のスクロールの速度であるドラッグ後速度を逐次決定するスクロール速度決定手段と、
ドラッグ操作によるスクロールの後、決定された当該ドラッグ後速度で画像全体を更にスクロールさせるスクロール制御手段と
を有することを特徴とするユーザインタフェース装置。
【請求項２】
前記操作判定手段は、自ら真の判定を行った後、当該指が前記タッチパネルに接触しているか否かを逐次判定し、前記スクロール速度決定手段は、当該指が接触していないと判定された際、当該押圧力の最大値にかかわらず、ドラッグ後速度をゼロに決定することを特徴とする請求項１に記載のユーザインタフェース装置。
【請求項３】
前記操作判定手段は、自ら真の判定を行った後、当該指が前記タッチパネルに接触しているか否かを逐次判定し、前記スクロール制御手段は、当該指が接触していると判定された場合に、決定された前記ドラッグ後速度で画像全体を更にスクロールさせることを特徴とする請求項１又は２に記載のユーザインタフェース装置。
【請求項４】
前記スクロール制御手段は、前記ドラッグ操作時のスクロールの向きの情報を保持し、該ドラッグ操作後に、該ドラッグ操作時のスクロールの向きで、画像全体を更にスクロールさせることを特徴とする請求項１から３のいずれか１項に記載のユーザインタフェース装置。
【請求項５】
前記タッチパネルに接触した当該指に対して触覚応答を与える触覚応答機構部と、
当該指に対して前記タッチパネルを介して、スクロールの速度に応じた触覚応答を与えるべく前記触覚応答機構部を制御する触覚応答制御手段と
を更に有することを特徴とする請求項１から４のいずれか１項に記載のユーザインタフェース装置。
【請求項６】
前記触覚応答制御手段は、当該指に、スクロールの速度が高いほど強い振動を与えるように前記触覚応答機構部を制御することを特徴とする請求項５に記載のユーザインタフェース装置。
【請求項７】
ユーザの操作から見て、ドラッグ操作を行った直後に当該指をタッチパネルに対して所定の押圧力で押し込んだ後押し込みを緩めた場合、前記スクロール制御手段は、スクロールの速度を、前記所定の押圧力に応じて決定されたドラッグ後速度にまで増加させ、その後、該ドラッグ後速度に維持することを特徴とする請求項１から６のいずれか１項に記載のユーザインタフェース装置。
【請求項８】
画像を画面に表示する画像表示部と、指の接触位置を時間経過に応じて逐次出力するタッチパネルと、当該指により該タッチパネルに与えられた押圧力を検出する押圧力検出部とを備えており、当該指によるドラッグ操作によって画像全体をスクロールするユーザインタフェース装置に搭載されたプログラムであって、
当該指によるドラッグ操作が終了したか否かを判定する操作判定手段と、
前記操作判定手段が真の判定を行った際、ドラッグ操作以降における当該押圧力の最大値に応じて、ドラッグ操作後のスクロールの速度であるドラッグ後速度を逐次決定するスクロール速度決定手段と、
ドラッグ操作によるスクロールの後、決定された当該ドラッグ後速度で画像全体を更にスクロールさせるスクロール制御手段と
してコンピュータを機能させることを特徴とするユーザインタフェース装置用のプログラム。
【請求項９】
画像を画面に表示する画像表示部と、指の接触位置を時間経過に応じて逐次出力するタッチパネルと、当該指により該タッチパネルに与えられた押圧力を検出する押圧力検出部とを備えており、当該指によるドラッグ操作によって画像全体をスクロールするユーザインタフェース装置における画像スクロール方法であって、
当該指によるドラッグ操作が終了したか否かを判定する第１のステップと、
第１のステップで真の判定がなされた際、ドラッグ操作以降における当該押圧力の最大値に応じて、ドラッグ操作後のスクロールの速度であるドラッグ後速度を逐次決定する第２のステップと、
ドラッグ操作によるスクロールの後、決定された当該ドラッグ後速度で画像全体を更にスクロールさせる第３のステップと
を有することを特徴とする画像スクロール方法。
【手続補正２】
【補正対象書類名】明細書
【補正対象項目名】００１５
【補正方法】変更
【補正の内容】
【００１５】
本発明によれば、画像を画面に表示する画像表示部と、指の接触位置を時間経過に応じて逐次出力するタッチパネルと、当該指によりこのタッチパネルに与えられた押圧力を検出する押圧力検出部とを備えており、当該指によるドラッグ操作によって画像全体をスクロールするユーザインタフェース装置であって、
当該指によるドラッグ操作が終了したか否かを判定する操作判定手段と、
操作判定手段が真の判定を行った際、ドラッグ操作以降における当該押圧力の最大値に応じて、ドラッグ操作後のスクロールの速度であるドラッグ後速度を逐次決定するスクロール速度決定手段と、
ドラッグ操作によるスクロールの後、決定された当該ドラッグ後速度で画像全体を更にスクロールさせるスクロール制御手段と
を有するユーザインタフェース装置が提供される。
【手続補正３】
【補正対象書類名】明細書
【補正対象項目名】００２１
【補正方法】変更
【補正の内容】
【００２１】
本発明によれば、さらに、画像を画面に表示する画像表示部と、指の接触位置を時間経過に応じて逐次出力するタッチパネルと、当該指によりこのタッチパネルに与えられた押圧力を検出する押圧力検出部とを備えており、当該指によるドラッグ操作によって画像全体をスクロールするユーザインタフェース装置に搭載されたプログラムであって、
当該指によるドラッグ操作が終了したか否かを判定する操作判定手段と、
操作判定手段が真の判定を行った際、ドラッグ操作以降における当該押圧力の最大値に応じて、ドラッグ操作後のスクロールの速度であるドラッグ後速度を逐次決定するスクロール速度決定手段と、
ドラッグ操作によるスクロールの後、決定された当該ドラッグ後速度で画像全体を更にスクロールさせるスクロール制御手段と
してコンピュータを機能させるユーザインタフェース装置用のプログラムが提供される。
【手続補正４】
【補正対象書類名】明細書
【補正対象項目名】００２２
【補正方法】変更
【補正の内容】
【００２２】
本発明によれば、さらにまた、画像を画面に表示する画像表示部と、指の接触位置を時間経過に応じて逐次出力するタッチパネルと、当該指によりこのタッチパネルに与えられた押圧力を検出する押圧力検出部とを備えており、当該指によるドラッグ操作によって画像全体をスクロールするユーザインタフェース装置における画像スクロール方法であって、
当該指によるドラッグ操作が終了したか否かを判定する第１のステップと、
第１のステップで真の判定がなされた際、ドラッグ操作以降における当該押圧力の最大値に応じて、ドラッグ操作後のスクロールの速度であるドラッグ後速度を逐次決定する第２のステップと、
ドラッグ操作によるスクロールの後、決定された当該ドラッグ後速度で画像全体を更にスクロールさせる第３のステップと
を有する画像スクロール方法が提供される。